【手続補正書】
【提出日】平成18年1月5日(2006.1.5)
【手続補正１】
【補正対象書類名】明細書
【補正対象項目名】発明の名称
【補正方法】変更
【補正の内容】
【発明の名称】コンテンツ蓄積再生システム、コンテンツ蓄積再生方法、および、コンテンツ蓄積再生システムにおけるコンテンツ送信装置、コンテンツ受信装置、コンテンツ送信プログラム、コンテンツ受信プログラム、コンテンツ送信方法、コンテンツ受信方法
【手続補正２】
【補正対象書類名】明細書
【補正対象項目名】特許請求の範囲
【補正方法】変更
【補正の内容】
【特許請求の範囲】
【請求項１】
少なくとも放送された映像、音声またはデータを含む番組データを受信側で蓄積後に再生するコンテンツ蓄積再生方法において、
送信側は、番組データをスクランブル鍵で暗号化し、前記スクランブル鍵を第１ワーク鍵で暗号化し、前記第１ワーク鍵を前記第２ワーク鍵で暗号化し、暗号化した前記番組データと、前記第１ワーク鍵で暗号化した前記スクランブル鍵と、前記第２ワーク鍵で暗号化した前記第１ワーク鍵とを送出し、
セキュリティモジュールを持つ受信側は、少なくとも暗号化された前記番組データと、前記第１ワーク鍵で暗号化された前記スクランブル鍵とを蓄積するとともに、前記セキュリティモジュールで、前記第２ワーク鍵で暗号化された前記第１ワーク鍵を復号化し、再生時に、前記セキュリティモジュールで、前記第１ワーク鍵で暗号化した前記スクランブル鍵を復号化し、復号化で得られた前記スクランブル鍵を用いて、暗号化された前記番組データを復号化する
ことを特徴とするコンテンツ蓄積再生方法。
【請求項２】
前記セキュリティモジュールで、復号化した前記第１ワーク鍵を記憶する、または、復号化した前記第１ワーク鍵を受信側に固有の固有鍵で再暗号化し、再暗号化した前記第１ワーク鍵を受信側で蓄積することを特徴とする請求項１に記載のコンテンツ蓄積再生方法。
【請求項３】
前記第１ワーク鍵の有効期間は、前記第２ワーク鍵の有効期間に比べて短いことを特徴とする請求項１または請求項２記載のコンテンツ蓄積再生方法。
【請求項４】
前記第１ワーク鍵が、番組ごとに設定されることを特徴とする請求項１または請求項２記載のコンテンツ蓄積再生方法。
【請求項５】
前記固有鍵として、マスター鍵を用いることを特徴とする請求項２から請求項４のいずれか１項に記載のコンテンツ蓄積再生方法。
【請求項６】
少なくとも放送された映像、音声またはデータを含む番組データを受信側で蓄積後に再生するコンテンツ蓄積再生システムにおいて、
送信側は、番組データをスクランブル鍵で暗号化するスクランブル処理手段と、前記スクランブル鍵を第１ワーク鍵で暗号化する第１暗号化手段と、前記第１ワーク鍵を前記第２ワーク鍵で暗号化する第３暗号化手段とを具備し、
セキュリティモジュールを持つ受信側は、前記セキュリティモジュールが、少なくとも、前記第２ワーク鍵で暗号化された前記第１ワーク鍵を復号化する第１復号化手段を具備し、
受信側は、少なくとも、暗号化された前記番組データと、前記第１ワーク鍵で暗号化された前記スクランブル鍵とを蓄積する蓄積手段を具備する
ことを特徴とするコンテンツ蓄積再生システム。
【請求項７】
前記セキュリティモジュールは、さらに、前記第１ワーク鍵で暗号化した前記スクランブル鍵を復号化する第２復号化手段を具備し、
受信側には、前記第２復号化手段によって復号化されたスクランブル鍵を用いて、暗号化された前記番組データを復号化するデスクランブル処理手段を具備する
ことを特徴とする請求項６に記載のコンテンツ蓄積再生システム。
【請求項８】
前記セキュリティモジュールは、さらに、復号化した前記第１ワーク鍵を記憶する第１ワーク鍵記憶手段を備え、
前記セキュリティモジュールは、復号化した前記第１ワーク鍵を、前記第１ワーク鍵記憶手段に記憶する、または、復号化した前記第１ワーク鍵を、前記第１復号化手段により受信側に固有の固有鍵で再暗号化して、再暗号化した前記第１ワーク鍵を前記蓄積手段に蓄積する
ことを特徴とする請求項６または請求項７記載のコンテンツ蓄積再生システム。
【請求項９】
番組データをスクランブルして送信する、コンテンツ蓄積再生システムにおけるコンテンツ送信装置であって、
経過時間と共に変更されるスクランブル鍵と、番組毎に設定される番組ワーク鍵と、前記番組ワーク鍵よりも更新期間が長いワーク鍵と、受信側に固有のマスター鍵とを記憶する記憶手段と、
前記スクランブル鍵により、前記番組データをスクランブルし、スクランブルデータを生成するスクランブル手段と、
前記番組ワーク鍵により、少なくとも前記スクランブル鍵を暗号化し、暗号化蓄積関連情報を生成する蓄積関連情報暗号化手段と、
前記ワーク鍵により、少なくとも前記番組ワーク鍵を暗号化し、暗号化番組関連情報を生成する番組関連情報暗号化手段と、
前記マスター鍵により、少なくとも前記ワーク鍵を暗号化し、暗号化ワーク鍵関連情報を生成するワーク鍵関連情報暗号化手段と、
前記スクランブルデータと、前記暗号化蓄積関連情報と、前記暗号化番組関連情報と、前記暗号化ワーク鍵関連情報とを多重化し、送信する送信手段と、
を備えることを特徴とするコンテンツ送信装置。
【請求項１０】
番組データを暗号化して送信する、コンテンツ蓄積再生システムにおけるコンテンツ送信装置であって、
経過時間と共に変更されるスクランブル鍵と、番組毎に設定される番組ワーク鍵と、前記番組ワーク鍵よりも更新期間が長いワーク鍵と、受信側に固有のマスター鍵とを記憶する記憶手段と、
前記スクランブル鍵により、前記番組データをスクランブルし、スクランブルデータを生成するスクランブル手段と、
前記ワーク鍵により、少なくとも前記スクランブル鍵を暗号化し、暗号化関連情報を生成する関連情報暗号化手段と、
前記番組ワーク鍵により、少なくとも前記スクランブル鍵を暗号化し、暗号化蓄積関連情報を生成する蓄積関連情報暗号化手段と、
前記ワーク鍵により、少なくとも前記番組ワーク鍵を暗号化し、暗号化番組関連情報を生成する番組関連情報暗号化手段と、
前記マスター鍵により、少なくとも前記ワーク鍵を暗号化し、暗号化ワーク鍵関連情報を生成するワーク鍵関連情報暗号化手段と、
前記スクランブルデータと、前記暗号化関連情報と、前記暗号化蓄積関連情報と、前記暗号化番組関連情報と、前記暗号化ワーク鍵関連情報とを多重化し、送信する送信手段と、
を備えることを特徴とするコンテンツ送信装置。
【請求項１１】
送信側で番組データがスクランブルされ、前記スクランブルされた番組データを受信する、コンテンツ蓄積再生システムにおけるコンテンツ受信装置であって、
前記送信側において、経過時間と共に変更されるスクランブル鍵により、前記番組データがスクランブルされたスクランブルデータと、番組毎に設定される番組ワーク鍵により、少なくとも前記スクランブル鍵が暗号化された暗号化蓄積関連情報と、前記番組ワーク鍵よりも更新期間が長いワーク鍵により、少なくとも前記番組ワーク鍵が暗号化された暗号化番組関連情報と、受信側に固有のマスター鍵により、少なくとも前記ワーク鍵が暗号化された暗号化ワーク鍵関連情報とが多重化されて送信され、
多重化されたデータを受信、分離して、前記スクランブルデータと、前記暗号化蓄積関連情報と、前記暗号化番組関連情報と、前記暗号化ワーク鍵関連情報とを得る受信手段と、
前記マスター鍵により、前記暗号化ワーク鍵関連情報を復号し、前記ワーク鍵を得るワーク鍵関連情報復号手段と、
前記ワーク鍵により、前記暗号化番組関連情報を復号し、前記番組ワーク鍵を得る番組関連情報復号手段と、
前記番組ワーク鍵により、前記暗号化蓄積関連情報を復号し、前記スクランブル鍵を得る蓄積関連情報復号手段と、
前記スクランブル鍵により、前記スクランブルデータをデスクランブルし、前記番組データを得るデスクランブル手段と、
を備えることを特徴とするコンテンツ受信装置。
【請求項１２】
送信側で番組データがスクランブルされ、前記スクランブルされた番組データを受信する、コンテンツ蓄積再生システムにおけるコンテンツ受信装置であって、
前記送信側において、経過時間と共に変更されるスクランブル鍵により、前記番組データがスクランブルされたスクランブルデータと、番組毎に設定される番組ワーク鍵により、少なくとも前記スクランブル鍵が暗号化された暗号化蓄積関連情報と、前記番組ワーク鍵よりも更新期間が長いワーク鍵により、少なくとも前記スクランブル鍵が暗号化された暗号化関連情報と、前記ワーク鍵により、少なくとも前記番組ワーク鍵が暗号化された暗号化番組関連情報と、受信側に固有のマスター鍵により、少なくとも前記ワーク鍵が暗号化された暗号化ワーク鍵関連情報とが多重化されて送信され、
多重化されたデータを受信、分離して、前記スクランブルデータと、前記暗号化関連情報と、前記暗号化蓄積関連情報と、前記暗号化番組関連情報と、前記暗号化ワーク鍵関連情報とを得る受信手段と、
前記マスター鍵により、前記暗号化ワーク鍵関連情報を復号し、前記ワーク鍵を得るワーク鍵関連情報復号手段と、
前記ワーク鍵により、前記暗号化関連情報を復号し、前記スクランブル鍵を得る関連情報復号手段と、
前記ワーク鍵により、前記暗号化番組関連情報を復号し、前記番組ワーク鍵を得る番組関連情報復号手段と、
前記番組ワーク鍵により、前記暗号化蓄積関連情報を復号し、前記スクランブル鍵を得る蓄積関連情報復号手段と、
前記スクランブル鍵により、前記スクランブルデータをデスクランブルし、前記番組データを得るデスクランブル手段と、
を備えることを特徴とするコンテンツ受信装置。
【請求項１３】
前記コンテンツ受信装置は、少なくとも前記マスター鍵が内部に設定されたセキュリティモジュールを備え、
前記セキュリティモジュールに記憶した復号後の前記番組関連情報を出力し、記憶する番組関連情報蓄積手段
を備えることを特徴とする請求項１１または請求項１２記載のコンテンツ受信装置。
【請求項１４】
前記コンテンツ受信装置は、少なくとも前記マスター鍵が内部に設定されたセキュリティモジュールを備え、
前記セキュリティモジュールは、さらに、前記番組関連情報を暗号化するための蓄積暗号鍵を記憶する蓄積暗号鍵蓄積手段を備え、
前記セキュリティモジュールにおいて、復号後の前記番組関連情報を、前記蓄積暗号鍵により暗号化して、蓄積暗号化番組関連情報を生成する暗号変換手段と、
前記蓄積暗号化番組関連情報を出力し、記憶する蓄積暗号化番組関連情報蓄積手段と
を備えることを特徴とする請求項１１から請求項１３のいずれか１項に記載のコンテンツ受信装置。
【請求項１５】
前記蓄積暗号鍵として、前記マスター鍵を用いることを特徴とする請求項１４記載のコンテンツ受信装置。
【請求項１６】
前記コンテンツ受信装置は、さらに、前記蓄積暗号化番組関連情報に対応するスクランブルされた前記番組データと共に、外部の蓄積手段に記憶する外部蓄積手段を備えることを特徴とする請求項１４または請求項１５記載のコンテンツ受信装置。
【請求項１７】
前記コンテンツ受信装置は、さらに、セキュリティモジュールと、前記暗号化番組関連情報を記憶する暗号化番組関連情報蓄積手段とを備え、
前記セキュリティモジュールは、復号後の前記番組関連情報、または、少なくとも前記番組ワーク鍵を含む復号後の前記番組関連情報の一部を記憶する番組関連情報記憶手段を備える
ことを特徴とする請求項１１または請求項１２記載のコンテンツ受信装置。
【請求項１８】
前記コンテンツ受信装置は、さらに、セキュリティモジュールを備え、
前記セキュリティモジュールは、さらに、復号後の前記番組関連情報、または、少なくとも前記番組ワーク鍵を含む復号後の前記番組関連情報の一部を暗号化するための蓄積暗号鍵を記憶する蓄積暗号鍵蓄積手段と、
復号後の前記番組関連情報、または、少なくとも前記番組ワーク鍵を含む復号後の前記番組関連情報の一部を、前記蓄積暗号鍵により暗号化して、蓄積暗号化番組関連情報を生成する暗号変換手段と、を備え、
前記コンテンツ受信装置は、さらに、前記蓄積暗号化番組関連情報を記憶する蓄積暗号化番組関連情報蓄積手段を備える
ことを特徴とする請求項１１、請求項１２、請求項１７のいずれか１項に記載のコンテンツ受信装置。
【請求項１９】
前記蓄積暗号鍵として、前記マスター鍵を用いることを特徴とする請求項１８記載のコンテンツ受信装置。
【請求項２０】
前記コンテンツ受信装置は、さらに、少なくとも前記蓄積暗号化番組関連情報を外部の蓄積手段に記憶する外部蓄積手段を備えることを特徴とする請求項１８または請求項１９記載のコンテンツ受信装置。
【請求項２１】
番組データをスクランブルして送信する、コンテンツ蓄積再生システムにおけるコンテンツ送信装置を、
経過時間と共に変更されるスクランブル鍵と、番組毎に設定される番組ワーク鍵と、前記番組ワーク鍵よりも更新期間が長いワーク鍵と、受信側に固有のマスター鍵とを記憶する記憶手段と、
前記スクランブル鍵により、前記番組データをスクランブルし、スクランブルデータを生成するスクランブル手段と、
前記番組ワーク鍵により、少なくとも前記スクランブル鍵を暗号化し、暗号化蓄積関連情報を生成する蓄積関連情報暗号化手段と、
前記ワーク鍵により、少なくとも前記番組ワーク鍵を暗号化し、暗号化番組関連情報を生成する番組関連情報暗号化手段と、
前記マスター鍵により、少なくとも前記ワーク鍵を暗号化し、暗号化ワーク鍵関連情報を生成するワーク鍵関連情報暗号化手段と、
前記スクランブルデータと、前記暗号化蓄積関連情報と、前記暗号化番組関連情報と、前記暗号化ワーク鍵関連情報とを多重化し、送信する送信手段と、
して機能させることを特徴とするコンテンツ送信プログラム。
【請求項２２】
送信側で番組データがスクランブルされ、前記スクランブルされた番組データを受信する、コンテンツ蓄積再生システムにおけるコンテンツ受信装置を、
前記送信側において、経過時間と共に変更されるスクランブル鍵により、前記番組データがスクランブルされたスクランブルデータと、番組毎に設定される番組ワーク鍵により、少なくとも前記スクランブル鍵が暗号化された暗号化蓄積関連情報と、前記番組ワーク鍵よりも更新期間が長いワーク鍵により、少なくとも前記番組ワーク鍵が暗号化された暗号化番組関連情報と、受信側に固有のマスター鍵により、少なくとも前記ワーク鍵が暗号化された暗号化ワーク鍵関連情報とが多重化されて送信され、
多重化されたデータを受信、分離し、前記スクランブルデータと、前記暗号化蓄積関連情報と、前記暗号化番組関連情報と、前記暗号化ワーク鍵関連情報とを得る受信手段と、
前記マスター鍵により、前記暗号化ワーク鍵関連情報を復号し、前記ワーク鍵を得るワーク鍵関連情報復号手段と、
前記ワーク鍵により、前記暗号化番組関連情報を復号し、前記番組ワーク鍵を得る番組関連情報復号手段と、
前記番組ワーク鍵により、前記暗号化蓄積関連情報を復号し、前記スクランブル鍵を得る蓄積関連情報復号手段と、
前記スクランブル鍵により、前記スクランブルデータをデスクランブルし、前記番組データを得るデスクランブル手段と、
して機能させることを特徴とするコンテンツ受信プログラム。
【請求項２３】
番組データをスクランブルして送信する、コンテンツ蓄積再生方法におけるコンテンツ送信方法であって、
経過時間と共に変更されるスクランブル鍵と、番組毎に設定される番組ワーク鍵と、前記番組ワーク鍵よりも更新期間が長いワーク鍵と、受信側に固有のマスター鍵とを記憶する記憶ステップと、
前記スクランブル鍵により、前記番組データをスクランブルし、スクランブルデータを生成するスクランブルステップと、
前記番組ワーク鍵により、少なくとも前記スクランブル鍵を暗号化し、暗号化蓄積関連情報を生成する蓄積関連情報暗号化ステップと、
前記ワーク鍵により、少なくとも前記番組ワーク鍵を暗号化し、暗号化番組関連情報を生成する番組関連情報暗号化ステップと、
前記マスター鍵により、少なくとも前記ワーク鍵を暗号化し、暗号化ワーク鍵関連情報を生成するワーク鍵関連情報暗号化ステップと、
前記スクランブルデータと、前記暗号化蓄積関連情報と、前記暗号化番組関連情報と、前記暗号化ワーク鍵関連情報とを多重化し、送信する送信ステップと、
を含むことを特徴とするコンテンツ送信方法。
【請求項２４】
番組データを暗号化して送信する、コンテンツ蓄積再生方法におけるコンテンツ送信方法であって、
経過時間と共に変更されるスクランブル鍵と、番組毎に設定される番組ワーク鍵と、前記番組ワーク鍵よりも更新期間が長いワーク鍵と、受信側に固有のマスター鍵とを記憶する記憶ステップと、
前記スクランブル鍵により、前記番組データをスクランブルし、スクランブルデータを生成するスクランブルステップと、
前記ワーク鍵により、少なくとも前記スクランブル鍵を暗号化し、暗号化関連情報を生成する関連情報暗号化ステップと、
前記番組ワーク鍵により、少なくとも前記スクランブル鍵を暗号化し、暗号化蓄積関連情報を生成する蓄積関連情報暗号化ステップと、
前記ワーク鍵により、少なくとも前記番組ワーク鍵を暗号化し、暗号化番組関連情報を生成する番組関連情報暗号化ステップと、
前記マスター鍵により、少なくとも前記ワーク鍵を暗号化し、暗号化ワーク鍵関連情報を生成するワーク鍵関連情報暗号化ステップと、
前記スクランブルデータと、前記暗号化関連情報と、前記暗号化蓄積関連情報と、前記暗号化番組関連情報と、前記暗号化ワーク鍵関連情報とを多重化し、送信する送信ステップと、
を含むことを特徴とするコンテンツ送信方法。
【請求項２５】
送信側で番組データがスクランブルされ、前記スクランブルされた番組データを受信する、コンテンツ蓄積再生方法におけるコンテンツ受信方法であって、
前記送信側において、経過時間と共に変更されるスクランブル鍵により、前記番組データがスクランブルされたスクランブルデータと、番組毎に設定される番組ワーク鍵により、少なくとも前記スクランブル鍵が暗号化された暗号化蓄積関連情報と、前記番組ワーク鍵よりも更新期間が長いワーク鍵により、少なくとも前記番組ワーク鍵が暗号化された暗号化番組関連情報と、受信側に固有のマスター鍵により、少なくとも前記ワーク鍵が暗号化された暗号化ワーク鍵関連情報とが多重化されて送信され、
多重化されたデータを受信、分離し、前記スクランブルデータと、前記暗号化蓄積関連情報と、前記暗号化番組関連情報と、前記暗号化ワーク鍵関連情報とを得る受信ステップと、
前記マスター鍵により、前記暗号化ワーク鍵関連情報を復号し、前記ワーク鍵を得るワーク鍵関連情報復号ステップと、
前記ワーク鍵により、前記暗号化番組関連情報を復号し、前記番組ワーク鍵を得る番組関連情報復号ステップと、
前記番組ワーク鍵により、前記暗号化蓄積関連情報を復号し、前記スクランブル鍵を得る蓄積関連情報復号ステップと、
前記スクランブル鍵により、前記スクランブルデータをデスクランブルし、前記番組データを得るデスクランブルステップと、
を含むことを特徴とするコンテンツ受信方法。
【請求項２６】
送信側で番組データがスクランブルされ、前記スクランブルされた番組データを受信する、コンテンツ蓄積再生方法におけるコンテンツ受信方法であって、
前記送信側において、経過時間と共に変更されるスクランブル鍵により、前記番組データがスクランブルされたスクランブルデータと、番組毎に設定される番組ワーク鍵により、少なくとも前記スクランブル鍵が暗号化された暗号化蓄積関連情報と、前記番組ワーク鍵よりも更新期間が長いワーク鍵により、少なくとも前記スクランブル鍵が暗号化された暗号化関連情報と、前記ワーク鍵により、少なくとも前記番組ワーク鍵が暗号化された暗号化番組関連情報と、受信側に固有のマスター鍵により、少なくとも前記ワーク鍵が暗号化された暗号化ワーク鍵関連情報とが多重化されて送信され、
多重化されたデータを受信、分離し、前記スクランブルデータと、前記暗号化関連情報と、前記暗号化蓄積関連情報と、前記暗号化番組関連情報と、前記暗号化ワーク鍵関連情報とを得る受信ステップと、
前記マスター鍵により、前記暗号化ワーク鍵関連情報を復号し、前記ワーク鍵を得るワーク鍵関連情報復号ステップと、
前記ワーク鍵により、前記暗号化関連情報を復号し、前記スクランブル鍵を得る関連情報復号ステップと、
前記ワーク鍵により、前記暗号化番組関連情報を復号し、前記番組ワーク鍵を得る番組関連情報復号ステップと、
前記番組ワーク鍵により、前記暗号化蓄積関連情報を復号し、前記スクランブル鍵を得る蓄積関連情報復号ステップと、
前記スクランブル鍵により、前記スクランブルデータをデスクランブルし、前記番組データを得るデスクランブルステップと、
を含むことを特徴とするコンテンツ受信方法。
【請求項２７】
前記コンテンツ受信方法において、
受信側が、前記暗号化番組関連情報を記憶する暗号化番組関連情報蓄積ステップを含み、
さらに、受信側のセキュリティモジュールが、復号後の前記番組関連情報、または、少なくとも前記番組ワーク鍵を含む復号後の前記番組関連情報の一部を記憶する番組関連情報記憶ステップを含む
ことを特徴とする請求項２５または請求項２６記載のコンテンツ受信方法。
【請求項２８】
前記コンテンツ受信方法において、
さらに、受信側のセキュリティモジュールが、復号後の前記番組関連情報、または、少なくとも前記番組ワーク鍵を含む復号後の前記番組関連情報の一部を暗号化するための蓄積暗号鍵を記憶する蓄積暗号鍵蓄積ステップと、
復号後の前記番組関連情報、または、少なくとも前記番組ワーク鍵を含む復号後の前記番組関連情報の一部を、前記蓄積暗号鍵により暗号化して、蓄積暗号化番組関連情報を生成する暗号変換ステップと、を含み、
前記コンテンツ受信装置が、さらに、前記蓄積暗号化番組関連情報を記憶する蓄積暗号化番組関連情報蓄積ステップを含む
ことを特徴とする請求項２５、請求項２６、請求項２７のいずれか１項に記載のコンテンツ受信方法。
【手続補正３】
【補正対象書類名】明細書
【補正対象項目名】００１３
【補正方法】変更
【補正の内容】
【００１３】
本発明は、こうした問題点を解決するものであり、ストリーム課金との互換性を保ちながら、ワーク鍵Ｋｗの更新の影響を受けずにコンテンツの蓄積再生を行うことができるシステムを提供し、また、そのコンテンツ蓄積再生方法、コンテンツ送信装置、コンテンツ受信装置、コンテンツ送信プログラム、コンテンツ受信プログラム、コンテンツ送信方法、コンテンツ受信方法を提供することを目的としている。
【手続補正４】
【補正対象書類名】明細書
【補正対象項目名】００１４
【補正方法】変更
【補正の内容】
【００１４】
【課題を解決するための手段】
そこで、本発明では、少なくとも放送された映像、音声またはデータを含む番組データを受信側で蓄積後に再生するコンテンツ蓄積再生方法において、送信側は、番組データをスクランブル鍵で暗号化し、前記スクランブル鍵を第１ワーク鍵で暗号化し、前記第１ワーク鍵を前記第２ワーク鍵で暗号化し、暗号化した前記番組データと、前記第１ワーク鍵で暗号化した前記スクランブル鍵と、前記第２ワーク鍵で暗号化した前記第１ワーク鍵とを送出し、セキュリティモジュールを持つ受信側は、少なくとも暗号化された前記番組データと、前記第１ワーク鍵で暗号化された前記スクランブル鍵とを蓄積するとともに、前記セキュリティモジュールで、前記第２ワーク鍵で暗号化された前記第１ワーク鍵を復号化し、再生時に、前記セキュリティモジュールで、前記第１ワーク鍵で暗号化した前記スクランブル鍵を復号化し、復号化で得られた前記スクランブル鍵を用いて、暗号化された前記番組データを復号化するようにしている。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
また、少なくとも放送された映像、音声またはデータを含む番組データを受信側で蓄積後に再生するコンテンツ蓄積再生システムにおいて、送信側は、番組データをスクランブル鍵で暗号化するスクランブル処理手段と、前記スクランブル鍵を第１ワーク鍵で暗号化する第１暗号化手段と、前記第１ワーク鍵を前記第２ワーク鍵で暗号化する第３暗号化手段とを具備し、セキュリティモジュールを持つ受信側は、前記セキュリティモジュールが、少なくとも、前記第２ワーク鍵で暗号化された前記第１ワーク鍵を復号化する第１復号化手段を具備し、受信側は、少なくとも、暗号化された前記番組データと、前記第１ワーク鍵で暗号化された前記スクランブル鍵とを蓄積する蓄積手段を具備するように構成している。
【手続補正１０】
【補正対象書類名】明細書
【補正対象項目名】００７２
【補正方法】変更
【補正の内容】
【００７２】
【発明の効果】
以上の説明から明らかなように、本発明のコンテンツ蓄積再生システムは、ワーク鍵Ｋｗの一定期間毎の更新に影響されずに、蓄積番組の再生を確実に行うことができる。